(57)【特許請求の範囲】
【請求項１】
一対の棚受と、
一対の棚受間に並列に架設され、物品が積載される積載部と積載部から下方に延在する脚部と脚部から内向きに延在するリップ部とを有した複数の分割棚板と、
棚受とリップ部との間に設けられ、分割棚板が向かい合うように重ね合わされた場合に棚受とリップ部との間に生じる分割棚板の板厚分の隙間を埋める隙間埋め部材と
を備えたことを特徴とする棚装置。
【請求項２】
前記隙間埋め部材は、分割棚板のリップ部から突出する態様で分割棚板のリップ部に設けられた凸部であり、
前記分割棚板は、重ね合わされた場合に重なり合う分割棚板の凸部を受け入れる穴を有したことを特徴とする請求項１に記載の棚装置。
【発明の詳細な説明】
【技術分野】
【０００１】
本発明は、幅の狭い分割棚板を一対の棚受相互間に並列に架設することにより、一対の棚受相互間に棚板が構成される棚装置に関するものである。
【背景技術】
【０００２】
幅の狭い複数の分割棚板を並列に架設することにより、一つの棚板が構成される棚装置が広く知られている。分割棚板は、物品が積載される積載部と、積載部から下方に延在する脚部と、脚部から内向きに延在するリップ部と、リップ部から積載部に向けて延在する立上部とを有している。この棚装置によれば、棚板の板厚が薄くても、幅の広い棚板のように、棚板の表面が波打ったりすることもなければ、中軽量の物品を積載しても棚板が変形することもない（たとえば、特許文献１参照）。ここで、棚の積載荷重を大きなものとするためには、棚板と同じ分割棚板を向かい合うように重ね合わせればよい。
【０００３】
【特許文献１】特開２００３−２９９５３８号公報
【発明の開示】
【発明が解決しようとする課題】
【０００４】
しかしながら、棚板と同じ分割棚板を向かい合うように重ね合わせると、分割棚板と棚受との間に分割棚板の板厚分の隙間が生じ、傾いたり、きしんだりするので、棚装置の機能を果たさないことになる。
【０００５】
本発明は、上記に鑑みてなされたものであって、棚板と同じ分割棚板を向かい合うように重ね合わせて補強した場合に、棚板と棚受との間に生じた分割棚板の板厚分の隙間を埋めることができる棚装置を提供することを目的とする。
【課題を解決するための手段】
【０００６】
上述した課題を解決し、目的を達成するために、本発明は、一対の棚受と、一対の棚受間に並列に架設され、物品が積載される積載部と積載部から下方に延在する脚部と脚部から内向きに延在するリップ部とを有した複数の分割棚板と、棚受とリップ部との間に設けられ、分割棚板が向かい合うように重ね合わされた場合に棚受とリップ部との間に生じる分割棚板の板厚分の隙間を埋める隙間埋め部材とを備えたことを特徴とする。
【０００７】
また、本発明は、上記発明において、前記隙間埋め部材は、分割棚板のリップ部から突出する態様で分割棚板のリップ部に設けられた凸部であり、前記分割棚板は、重ね合わされた場合に重なり合う分割棚板の凸部を受け入れる穴を有したことを特徴とする。
【発明の効果】
【０００８】
本発明にかかる棚装置は、分割棚板が向かい合うように重ね合わされた場合に棚受とリップ部との間に生じる分割棚板の板厚分の隙間を埋める隙間埋め部材を棚受と棚板との間に設けたので、分割棚板が傾いたり、きしんだりすることがない。
【発明を実施するための最良の形態】
【０００９】
以下に、本発明にかかる棚装置の実施の形態を図面に基づいて詳細に説明する。なお、この実施の形態によりこの発明が限定されるものではない。
【００１０】
（実施の形態１）
図１は、本発明にかかる棚装置の外観を示す斜視図である。
【００１１】
図１に示すように、本実施の形態である棚装置は、前後及び左右にそれぞれ１本、計４本の支柱１を備えている。支柱１は、断面がコの字状に形成された溝型鋼であって、一の面にリップ溝が開口し、この面に隣り合う面に棚受を取り付けるためのスリット１１が一定間隔（たとえば５０ｍｍ間隔）で形成してある。支柱１の端部には、端部を覆うベースプレート１２が取り付けてあり、棚装置が床に直置きされた場合であっても、床が傷つかないようになっている。
【００１２】
棚装置において前後となる一対の支柱１は、リップ溝が相互に対向するように前後に配置してある。前後となる一対の支柱１の内側上端部同士と内側下端部同士とは、それぞれ連結棚受２により相互に連結してあり、前後となる一対の支柱１と連結棚受２とはパネルを構成している。
【００１３】
棚装置において左右となる一対のパネルは、前面上端部同士、前面下端部同士、後面上端部同士、後面下端部同士を連結材３により相互に連結してあり、一対のパネルと連結材３は、棚装置の枠組を構成している。
【００１４】
内側上端部において支柱１を相互に連結した連結棚受２の相互間、内側下端部において支柱１を相互に連結した連結棚受２の相互間には、それぞれ二つの分割棚板４が並列に架設してあり、最上段の棚板５と最下段の棚板６が構成されている。
【００１５】
また、最上段の棚板５と最下段の棚板６との間には、任意の位置に棚板７を取り付けることができるようになっている。任意の位置に取り付けられる棚板７は、棚受８と分割棚板４とにより構成される。
【００１６】
図２及び図３に示すように、棚受８は、鋼板を折り曲げたものであり、前後の支柱１の内側面に当接するとともに、分割棚板４の側方への移動を規制する垂直な側板部８１と、この側板部の下端から内側へ直角に折り曲げられ、分割棚板の下面を支持する水平な棚板支持部８２と、この棚板支持部８２の前後両端から直角に折り曲げられ、分割棚板４の前面（脚部）と分割棚板４の後面（脚部）が当接することにより、分割棚板４の前後方向への移動を規制する前後移動規制部８３とを有している。
【００１７】
側板部８１の上縁中央には、外側へ直角に折り曲げられた水平屈曲部８４が設けてある。水平屈曲部８４は、前後の支柱１の間に嵌合される寸法で設けてある。
【００１８】
側板部８１の上縁両端部には、正面視Ｌ字状の上部爪８５が設けてある。上部爪８５は、前後の支柱１に内側面に一定間隔で形成されたスリット１１のいずれかに装着される部分であり、側板部８１から延在した部分を折り曲げることにより、形成してある。
【００１９】
前後の上部爪８５と、水平屈曲部８４の前後両端との間には、前後の上部爪８５がスリット１１に装着された場合に、スリット１１よりも内側となる支柱１の内側面角部が入り込む切欠溝８６が形成してある。この切欠溝８６の作用により、棚受８の水平屈曲部の前後両端が前後の支柱１の対向面と当接することとなり、棚受８の前後方向のがたつきを抑えるようになっている。
【００２０】
棚板支持部８２の前後両端部には、側板部８１の下縁を矩形に切り欠くことにより、外向きに延在する下部爪８７が形成してある。下部爪８７は、上部爪８５が装着されたスリット１１の直ぐ下のスリット１１に装着されるようになっている。
【００２１】
また、前後移動規制部８３の外側よりの上端には、跳ね上がり規制部８８が設けてある。跳ね上がり規制部８８は、前後移動規制部８３の外側よりの上端から延在する部分を内向きに折り曲げて形成したものである。
【００２２】
分割棚板４は、棚受８の相互間に並列に架設することにより、棚受８の相互間に一つの棚板７を構成するとともに、棚板７の積載荷重を増加させる場合に裏返して棚受８の相互間に架設することにより、並列に架設した分割棚板４によって構成された棚板７の積載荷重を増大させるものである。
【００２３】
分割棚板４は、左右対称であって、物品載置面を構成する天板部４１、天板部４１の側縁から垂下するように折り曲げられた脚部４２、脚部４２の下縁から内方に延在するように折り曲げられたリップ部４３、リップ部４３の内側縁から天板部４１に向けて直角に立ち上がるように折り曲げられた立上部４５を有している。
【００２４】
脚部４２には、分割棚板４を棚受８の相互間に架設した場合に、跳ね上がり規制部８８と係合するスリット４２１が設けてある。
【００２５】
また、リップ部４３には、分割棚板４の板厚分だけ分割棚板４のリップ部４３を嵩上げする凸部（隙間埋め部材）４３１が形成してある。凸部４３１は、リップ部４３を絞り加工することにより、分割棚板４の板厚分だけ突出させたもので、円形を呈している。
【００２６】
さらに、天板部４１には、隣り合う一対の分割棚板４が跨るように重ね合わされた場合に、重ね合わされた分割棚板４の凸部４３１が挿入される位置決め穴４１１が形成してある。位置決め穴４１１は、長穴形状を呈しており、隣り合う分割棚板４の一方の凸部４３１と他方の凸部４３１とが同時に挿入されるようになっている（図７参照）。
【００２７】
上述した実施の形態１である棚装置において、中軽量の物品が積載される場合には、図６に示すように、棚受８の相互間に分割棚板４を並列に架設すればよい。このように棚受８の相互間に分割棚板４を並列に架設すれば、構成される棚板７の棚位置（物品載置面の位置）が分割棚板４の板厚分（凸部４３１分）だけ嵩上げされることを除いて、従前の棚装置と異なるところはない。
【００２８】
一方、棚板７の積載荷重を増加させる場合には、図７に示すように、分割棚板４を裏返して棚受８の相互間に架設させるとともに、分割棚板４と該分割棚板４に隣り合う分割棚板４とが跨るように重ね合わせればよい。このように裏返した分割棚板４に棚板７を構成する分割棚板４を向かい合うように重ね合わせれば、凸部４３１が位置決め穴４１１に嵌り、裏返した分割棚板４と棚板７を構成する分割棚板４とは相互に位置決めされることになる。また、分割棚板４が向かい合うように重ね合わされた場合に棚受８と分割棚板４との間に生じる分割棚板４の板厚分の隙間は、分割棚板４のリップ部に設けられた凸部４３１によって埋められることになる。したがって、分割棚板４は傾くこともなければきしむこともない。このため、裏返した分割棚板４に棚板７を構成する分割棚板４を重ね合わせるだけで、棚板７の積載荷重を増加させることができる。
【００２９】
（実施の形態２）
図８に示すように、実施の形態２にかかる棚装置は、棚受８と分割棚板４との間に隙間埋め部材を設けるとともに、裏返した分割棚板４を位置決めするようにしたものである。隙間埋め部材は、実施の形態１にかかる棚装置と同様、分割棚板が向かい合うように重ね合わせた場合に、棚受８と分割棚板４との間に生じる分割棚板４の板厚分の隙間を埋めるものであって、頭部の厚みが分割棚板の板厚となる段付のスペーサ９によって構成されている。また、裏返して架設した分割棚板４は、棚受８に挿通した段付のピン１０によって位置決めされている。
【００３０】
上述した実施の形態２である棚装置において、中軽量の物品が積載される場合には、棚受８の相互間に分割棚板４を並列に架設すればよい。このように棚受８の相互間に分割棚板４を並列に架設すれば、従前の棚装置と異なるところはない。
【００３１】
一方、棚板７の積載荷重を増加させる場合には、図８に示すように、分割棚板４を裏返して棚受８の相互間に架設させるとともに、分割棚板４と該分割棚板４に隣り合う分割棚板４とが跨るように重ねあわせればよい。このとき、裏返した分割棚板４はピン１０によって位置決めされ、棚受８と分割棚板４との間に生じる分割棚板４の板厚分の隙間はスペーサ９によって埋められることになる。したがって、分割棚板４を裏返して架設するとともに位置決めし、棚受８と分割棚板４との間に生じる分割棚板４の板厚分の隙間をスペーサ９によって埋めれば、分割棚板４は傾くこともなければきしむこともない。このため、分割棚板４を裏返して架設するとともに位置決めし、棚受８と分割棚板４との間に生じる分割棚板４の板厚分の隙間をスペーサ９によって埋めるだけで、棚板７の積載荷重を増加させることができる。
【図面の簡単な説明】
【００３２】
【図１】本発明にかかる棚装置の外観を示す斜視図である。
【図２】棚板の取り付け状態を示す拡大斜視図である。
【図３】棚受の構造を説明するための分解斜視図である。
【図４】分割棚板を示す斜視図である。
【図５】裏返した分割棚板を示す斜視図である。
【図６】分割棚板の架設例を示した図である。
【図７】分割棚板の架設例を示した図である。
【図８】分割棚板の架設例を示す概念図である。
【符号の説明】
【００３３】
１    支柱
１１    スリット
１２    ベースプレート
２    連結棚受
３    連結材
４    分割棚板
４１    積載部
４１１    位置決め穴
４２１    スリット
４２    脚部
４３    リップ部
４３１    凸部
４５    立上部
７    棚板
８    棚受
８１    側板部
８２    棚板支持部
８３    前後移動規制部
８４    水平屈曲部
８５    上部爪
８６    切欠溝
８７    下部爪
８８    跳ね上がり規制部
９    スペーサ
１０    ピン
【図１】
0005144343.tif 000002
【図２】
0005144343.tif 000003
【図３】
0005144343.tif 000004
【図４】
0005144343.tif 000005
【図５】
0005144343.tif 000006
【図６】
0005144343.tif 000007
【図７】
0005144343.tif 000008
【図８】
0005144343.tif 000009